(57)【要約】【課題】止水性に優れたカーテンウォールを提供する。【解決手段】面材と、前記面材の下端を収容する端部収容部を形成する下横材と、前記面材の屋外側にて前記下横材と係合し前記下横材とともに前記端部収容部を形成しつつ前記面材を支持可能な押縁と、前記下横材に設けられ水を屋外に排出する排水部と、前記下横材を屋外側から覆うカバー材と、を有し、前記押縁は、前記カバー材が係止される係止部を備えている。【選択図】図３
2018087474.tif 000002
【特許請求の範囲】
【請求項１】
面材と、
前記面材の下端を収容する端部収容部を形成する下横材と、
前記面材の屋外側にて前記下横材と係合し前記下横材とともに前記端部収容部を形成しつつ前記面材を支持可能な押縁と、
前記下横材に設けられ水を屋外に排出する排水部と、
前記下横材を屋外側から覆うカバー材と、
を有し、
前記押縁は、前記カバー材が係止される係止部を備えていることを特徴とするカーテンウォール。
【請求項２】
請求項１に記載のカーテンウォールであって、
前記面材の下端を収容する前記端部収容部を有する前記下横材は、前記面材が載置される載置部と、前記載置部の屋外側の部位から上方に延出され、前記押縁が係合される係合片と、が当該カーテンウォールの幅方向に沿って設けられており、
前記押縁は、前記係合片の上端部を収容し上方に窪む凹部を形成し、前記係合片の上面に当接される当接部と、前記当接部より屋内側にて前記当接部より深く窪み前記係合片の前記上面に当接しない非当接部と、前記当接部の屋外側の部位から垂設され前記係合片と屋外側にて対向する係合片対向壁部と、が前記幅方向に沿って設けられており、
前記排水部は、前記幅方向において前記係合片が設けられていない、前記下横材の非係合部位と、前記幅方向において前記係合片対向壁部の前記当接部からの長さが短い短垂設部位とが見込み方向に隣り合って形成されていることを特徴とするカーテンウォール。
【請求項３】
請求項２に記載のカーテンウォールであって、
前記押縁は、前記係合片が前記凹部に収容された状態で重心が前記係合片より屋外側に位置していることを特徴とするカーテンウォール。
【請求項４】
請求項２または請求項３に記載のカーテンウォールであって、
前記押縁は、前記非当接部の屋内側の部位から垂設された垂設片を有し、
前記係止片の前記上面が前記当接部に当接されたときに、前記垂設片と前記係合片とが係合することを特徴とするカーテンウォール。
【請求項５】
請求項２乃至請求項４のいずれかに記載のカーテンウォールであって、
前記押縁は、前記当接部の上方に延出された上方延出片を有し、
前記上方延出片と前記面材との間がシーリング材によりシールされていることを特徴とするカーテンウォール。
【発明の詳細な説明】
【技術分野】
【０００１】
本発明は、面材の端部が押縁により保持されるカーテンウォールに関する。
【背景技術】
【０００２】
面材の端部が押縁により保持されるカーテンウォールとしては、例えば、無目上にセッティングブロックを介して載置されたガラスの屋外側に押縁を取り付け、無目の屋外側に化粧カバーを取り付け、押縁とガラスとの間にシールを行って完成されるカーテンウォールが知られている（例えば、特許文献１参照）。無目の屋外側に設けられる化粧カバーは、ビスなどの固定具が露出しないように、固定具により取り付けられている取付部材を介して化粧カバーが押縁に係止されて取り付けられている。
【先行技術文献】
【特許文献】
【０００３】
【特許文献１】実開平３−８０８１２号公報
【発明の概要】
【発明が解決しようとする課題】
【０００４】
上記カーテンウォールは、押縁とガラスとの間はシールされているが、押縁の屋外側に設けられている取付部材や化粧カバーとの間はシールされていない。また、カーテンウォールには、押縁より内側に浸入した水を屋外に排出する開孔でなる排水部が設けられている場合がある。ところが、押縁と取付部材の間に浸入した水が、逆に排水部から押縁より屋内側に浸入してしまう虞がある。
本発明は、かかる課題に鑑みてなされたものであり、その目的とするところは、止水性に優れたカーテンウォールを提供することにある。
【課題を解決するための手段】
【０００５】
かかる目的を達成するために本発明のカーテンウォールは、面材と、前記面材の下端を収容する端部収容部を形成する下横材と、前記面材の屋外側にて前記下横材と係合し前記下横材とともに前記端部収容部を形成しつつ前記面材を支持可能な押縁と、前記下横材に設けられ水を屋外に排出する排水部と、前記下横材を屋外側から覆うカバー材と、を有し、前記押縁は、前記カバー材が係止される係止部を備えていることを特徴とするカーテンウォールである。
【０００６】
このようなカーテンウォールによれば、下横材とともに面材を支持可能な押縁が、下横材を屋外側から覆うカバー材の係止部を備えているので、カバー材を押縁に直接取り付けることが可能である。このため、カバー材と押縁との間に、カバー材を取り付ける為の別の部材が介在されないので、水が浸入する経路を削減することが可能である。このため、止水性に優れたカーテンウォールを提供することが可能である。
【０００７】
かかるカーテンウォールであって、前記面材の下端を収容する前記端部収容部を有する前記下横材は、前記面材が載置される載置部と、前記載置部の屋外側の部位から上方に延出され、前記押縁が係合される係合片と、が当該カーテンウォールの幅方向に沿って設けられており、前記押縁は、前記係合片の上端部を収容し上方に窪む凹部を形成し、前記係合片の上面に当接される当接部と、前記当接部より屋内側にて前記当接部より深く窪み前記係合片の前記上面に当接しない非当接部と、前記当接部の屋外側の部位から垂設され前記係合片と屋外側にて対向する係合片対向壁部と、が前記幅方向に沿って設けられており、前記排水部は、前記幅方向において前記係合片が設けられていない、前記下横材の非係合部位と、前記幅方向において前記係合片対向壁部の前記当接部からの長さが短い短垂設部位とが見込み方向に隣り合って形成されていることが望ましい。
【０００８】
このようなカーテンウォールによれば、カーテンウォールの幅方向において、係合片が設けられていない、下横材の非係合部位と、係合片対向壁部における当接部からの長さが短い短垂設部位とが見込み方向に隣り合って排水部が形成されているので、載置部上に浸入した水を排水部から屋外に排出することが可能である。また、押縁の凹部は、当接部より室内側に、当該当接部よりも深く上方に窪み、係合片の上面と当接しない非当接部を有しているので、排水部をなす短垂設部位の係合片対向壁部及び当接部を伝った水は非係合部側の窪みに貯留されて、凹部より屋内側には浸入しにくい、このため、より止水性に優れたカーテンウォールを提供することが可能である。
【０００９】
かかるカーテンウォールであって、前記押縁は、前記係合片が前記凹部に収容された状態で重心が前記係合片より屋外側に位置していることが望ましい。
このようなカーテンウォールによれば、押縁は、重心が係合片より屋外側に位置しているので、係合片が凹部に収容されると、自重により係合片対向壁部が係合片の屋外側に当接されて安定する。このため、押縁の凹部を係合片上に載置するだけで、押縁を取り付け状態の姿勢で配置することが可能である。このため、施工性に優れたカーテンウォールを提供することが可能である。
【００１０】
かかるカーテンウォールであって、前記押縁は、前記非当接部の屋内側の部位から垂設された垂設片を有し、前記係止片の前記上面が前記当接部に当接されたときに、前記垂設片と前記係合片とが係合することが望ましい。
【００１１】
このようなカーテンウォールによれば、係止片の上面が当接部に当接されると、垂設片と係合片とが係合するので、押縁の当接部を係合片上に載置するだけで、押縁をより安定させて配置することが可能である。このため、より施工性に優れたカーテンウォールを提供することが可能である。
【００１２】
かかるカーテンウォールであって、前記押縁は、前記当接部の上方に延出された上方延出片を有し、前記上方延出片と前記面材との間がシーリング材によりシールされていることが望ましい。
【００１３】
このようなカーテンウォールによれば、押縁は、当接部の上方に延出された上方延出片と面材との間がシーリング材によりシールされているので、シーリング材により押縁が規制されるとともに、確実に面材を挟持することが可能である。
【発明の効果】
【００１４】
本発明によれば、止水性に優れたカーテンウォールを提供することが可能である。
【図面の簡単な説明】
【００１５】
【図１】本実施形態に係るカーテンウォールを屋外側から見た図である。
【図２】本実施形態に係るカーテンウォールを示す縦断面図である。
【図３】腰部面材の下端が収容された面材収容部の近傍を示す縦断面図である。
【図４】腰部下横材及び押縁を示す斜視図である。
【図５】無目の構成を示す斜視図である。
【図６】排水部を説明するための縦断面図である。
【図７】押縁の腰部下横材への取付方法を説明するための図である。
【発明を実施するための形態】
【００１６】
以下、本発明の一実施形態に係るカーテンウォールについて図面を参照して説明する。
本実施形態のカーテンウォール１は、例えば、図１、図２に示すように、外壁材を面材とする腰部２とガラスを面材とする開口部３とが上下に並べて配置されている。腰部２と開口部３との間に位置する無目４は、腰部２の面材（以下、腰部面材という）２ａの下側に位置する横材（以下、腰部下横材という）２１と、開口部３の面材（以下、開口部面材という）３ａの上側に位置する横材（以下、開口部上横材という）３１とが上下に配置され組み合わされて構成されている。無目４をなす腰部下横材２１及び開口部上横材３１は、腰部面材２ａ及び開口部面材３ａの左右に位置して床スラブ（不図示）にファスナー５を介して取り付けられている方立６間に架け渡されている。
【００１７】
以下の説明においては、取り付けられているカーテンウォール１を屋外側から見たときに、上下となる方向を上下方向、左右となる方向を左右方向、奥行き方向を見込み方向として示す。カーテンウォール１の各部位であっても、また、カーテンウォール１をなす各部材が単体の状態であっても、取り付けられた状態にて上下方向、左右方向、見込み方向となる方向にて方向を特定して説明する。
【００１８】
無目４をなす腰部下横材２１と開口部上横材３１との屋外側の境界部分は、腰部下横材２１の屋外側の部位と開口部上横材３１の屋外側の部位とが上下方向において対向している位置に、屋内側に窪む屋外開放溝部４ａが形成されており、屋外開放溝部４ａ内に設けられたバックアップ材７の屋外側がシーリング材８によりシールされている。
無目４の屋外側には、腰部下横材２１に係合されている押縁２２に係止され、無目４を屋外側から覆うカバー材９が設けられている。
【００１９】
図３に示すように、腰部面材２ａは、下端部が腰部下横材２１と、腰部下横材２１に係合された押縁２２とにより形成され上方が開放された面材収容部２３に収容されている。腰部下横材２１は、腰部面材２ａがセッティングブロック１０を介して載置される載置部２１ａと、載置部２１ａより上方にて屋内側から延出されて腰部面材２ａの屋内側の面に当接されるシール材１２が設けられた屋内延出部２１ｂと、載置部２１ａの屋外側の端から上方に延出されて押縁２２が係合される係合片２１ｃと、を有している。
【００２０】
腰部下横材２１は、押出成形形材であり、図４、図５に示すように、載置部２１ａ、屋内延出部２１ｂ、及び、係合片２１ｃは、いずれも長手方向に沿って設けられている。
【００２１】
載置部２１ａには、セッティングブロック１０より屋外側に位置し、係合片２１ｃと見込み方向に間隔を空けて設けられ上方に突出する突出片２１ｄが、腰部下横材２１長手方向に沿って設けられている。すなわち、係合片２１ｃと突出片２１ｄとの間には、載置部２１ａの上面を底とする下横材溝２１ｅが、腰部下横材２１の長手方向に沿って設けられている。
【００２２】
係合片２１ｃは、上面２１ｆが平坦に形成され、上端部２１ｇに屋内側に突出する係合片突起２１ｈが設けられており、係合片突起２１ｈの下面は、屋内側に向かって載置部２１ａとの間隔が広がるような傾斜面２１ｉをなしている。また、係合片２１ｃは、長手方向における一部が載置部２１ａの上面と同じ高さに切除されており、切除されている部位が、押縁２２と係合しない非係合部位２１ｊに相当する。
【００２３】
押縁２２は、係合片２１ｃの上端部２１ｇを収容し下方に開放された凹部２２ａを形成し、係合片２１ｃの上に配置される押縁台座部２２ｂと、押縁台座部２２ｂの屋内側の端から垂設された垂設片２２ｃと、押縁台座部２２ｂの屋外側の端から下方に垂設され係合片２１ｃと係合した際に係合片２１ｃと屋外側にて対向する係合片対向壁部２２ｄと、押縁台座部２２ｂの上面から上方に延出され腰部面材２ａと対向する上方延出片２２ｅとを有している。
【００２４】
押縁台座部２２ｂの下面は、凹部２２ａに係合片２１ｃの上端部２１ｇを収容して係合したときに、屋外側が係合片２１ｃの上面２１ｆに当接される当接部２２ｆをなし、屋内側は、当接部２２ｆより上方に窪み係合片２１ｃの上面２１ｇに当接しないように構成されている。すなわち、押縁台座部２２ｂの下面は、屋外側が当接部２２ｆをなし、屋内側が当接部２２ｆより高くなる段差を有しており、段差により当接部２２ｆの屋内側に、上方に窪む段差溝２２ｇが形成されている。段差溝２２ｇの底に相当する面が非当接部２２ｈをなしている。上方延出片２２ｅは、押縁台座部２２ｂの屋外側であって当接部２２ｆの上方に配置されている。
【００２５】
垂設片２２ｃは、係合片対向壁部２２ｄより短く形成されており、下端部側に係合片２１ｃの係合片突起２１ｈと係合する押縁突部２２ｉが設けられている。押縁突部２２ｉは、下端が上端側より薄く、上方に向かって厚みが厚くなり、押縁突部２２ｉの上端側では垂設片２２ｃの上端部より屋外側に突出している。押縁突部２２ｉの下端と、屋外側に突出している部位はいずれも曲面をなすように形成されている。
【００２６】
係合片対向壁部２２ｄは、押縁２２が係合片２１ｃと係合したときに、下端が係合片２１ｃの下端より下方に突出する長さを有しており、上下方向の長さは、屋内側に設けられている垂設片２２ｃより十分に長く形成されている。屋内側の垂設片２２ｃより長い係合片対向壁部２２ｄが、押縁２２において屋外側に位置しており、且つ、押縁台座部２２ｂにおいて屋外側に位置する当接部２２ｆの上に位置している上方延出片２２ｅを有する押縁２２は、係合片２１ｃ上に載置されて係合されたときに、重心が、支持されている当接部２２ｆより屋外側に位置している。
【００２７】
係合片対向壁部２２ｄの下端部は、下方に向かって屋外側に偏りつつ厚みが薄くなるように形成されている。係合片対向壁部２２ｄの下端部は、カバー材９の下係止部９ａが係止されるカバー材下係止部２２ｏをなしている。また、係合片対向壁部２２ｄの下端部より僅かに上側に位置させて屋外側に向かって延出された補強延出片２２ｊが設けられている。補強延出片２２ｊは、先端が、押縁２２に係止されたカバー材９に当接され、カバー材９と係合片対向壁部２２ｄとの間隔を保ってカバー材９の変形を規制する。
【００２８】
上方延出片２２ｅには、上端側に屋外側に向かって延出され、カバー材９の上係止部９ｂと係合する上カバー材上係止部２２ｋが設けられている。カバー材上係止部２２ｋは、上面側にカバー材９の上係止部９ｂが係合される係合溝部２２ｌが設けられている。
【００２９】
また、係合片対向壁部２２ｄは、屋内側の面の、係合片２１ｃの上端部側及び下端部側と対向する位置に、係合片２１ｃ側に突出して係合片２１ｃに当接される当接突起２２ｍをそれぞれ有している。
【００３０】
押縁２２は、押出成形形材であり、押縁台座部２２ｂ、垂設片２２ｃ、係合片対向壁部２２ｄ、上方延出片２２ｅ、補強延出片２２ｊ、カバー材上係止部２２ｋ、及び、当接突起２２ｍは、いずれも長手方向に沿って設けられている。係合片対向壁部２２ｄは、長手方向における一部が当接部２２ｆより僅かに下、より具体的には、上側の当接突起２２ｍの下で切除されて、係合片対向壁部２２ｄの他の部位より当接部２２ｆからの長さが短く切除されており、切除されている部位が短垂設部位２２ｎに相当する。
【００３１】
押縁２２の短垂設部位２２ｎの長手方向における幅は、係合片２１ｃの非係合部位２１ｊの長手方向の幅より広く形成されており、非係合部位２１ｊと短垂設部位２２ｎとは、各々の長手方向における中央位置が一致するとともに、図６に示すように、見込み方向に隣り合うように形成されており、係合片２１ｃより屋内側の載置部２１ａに浸入した水を屋外側に排出する排水部４ｂをなしている。
【００３２】
カバー材９は、押縁２２のカバー材上係止部２２ｋに係止されカバー材上係止部２２ｋの上に配置される上係止部９ｂと、上係止部９ｂの屋外側の端から垂設されたカバー本体９ｃと、カバー本体９ｃの屋内側の面から屋内側に延出され、係合片対向壁部２２ｄのカバー材下係止部２２ｏと係合する下係止部９ａとを有している。カバー本体９ｃは、腰部下横材２１と開口部上横材３１との間に設けられているシーリング材８より下方に延出されている。このため、排水部４ｂもカバー材９により覆われて屋外側からは視認されない。
【００３３】
係合片２１ｃの上端部２１ｇを押縁２２の凹部２２ａに収容して、押縁２２を腰部下横材２１に取り付ける際には、図７（ａ）に示すように、まず押縁２２の上端側が、下端側より屋内側に位置するように押縁２２を傾けつつ、係合片２１ｃの上方に配置する。
【００３４】
次に、図７（ｂ）に示すように、傾いたままの押縁２２を降下させて押縁２２の凹部２２ａに係合片２１ｃの上端部２１ｇを挿入させる。このとき、押縁台座部２２ｂが係合片２１ｃに載置され、垂設片２２ｃの押縁突部２２ｉが係合片２１ｃの係合片突起２１ｈより下に位置している。
【００３５】
次に、図７（ｃ）、図７（ｄ）に示すように、係合片２１ｃの上端部２１ｇが屋外側に移動するように、押縁２２を回動させて押縁突部２２ｉと係合片突起２１ｈとを係合させる。このとき、押縁２２の当接部２２ｆが係合片２１ｃの上面２１ｆに当接され、係合片対向壁部２２ｄの当接突起２２ｍが係合片２１ｃの屋外側の面に当接され、上方延出片２２ｅがほぼ鉛直をなして腰部面材２ａと対面する。また、このとき、押縁２２の重心が当接部２２ｆより屋外側に位置しているので、押縁２２の自重によって押縁２２が係合片２１ｃに係合された状態が維持される。なお、押縁突部２２ｉと係合片突起２１ｈとを係合させているので、押縁２２は鉛直方向に規制されて外れ抜けることが防止されている。
【００３６】
そして、対面する上方延出片２２ｅと腰部面材２ａとの間にバックアップ材７が介在され、その上にシーリング材８が充填されることにより、押縁２２が安定する。押縁２２は、安定した状態で腰部下横材２１とともに腰部面材２ａの下端部を収容する面材収容部２３を形成しつつ腰部下横材２１との間にバックアップ材７、シーリング材８、及び、シール材１２を介して腰部面材２ａの下端部を挟持する。すなわち、押縁２２は、腰部下横材２１とともに面材収容部２３を形成しつつ腰部面材２ａを支持可能である。
【００３７】
最後に、屋外側からカバー材９を押縁２２に近づけ、カバー材９の下係止部９ａ及び下係止部９ｂを、押縁２２のカバー材上係止部２２ｋ及びカバー材下係止部２２ｏに係止してカバー材９を押縁２２に取り付ける。
【００３８】
本実施形態のカーテンウォール１によれば、腰部下横材２１とともに腰部面材２ａを挟持する押縁２２が、無目４を屋外側から覆うカバー材９の上係止部９ｂ及び下係止部９ａを備えているので、カバー材９を押縁２２に直接取り付けることが可能である。このため、カバー材９と押縁２２との間に、カバー材９を取り付ける為の別の部材が介在されないので、水が浸入する経路を削減することが可能である。このため、止水性に優れたカーテンウォール１を提供することが可能である。
【００３９】
また、カーテンウォール１の幅方向において、係合片２１ｃが設けられていない、腰部下横材２１の非係合部位２１ｊと、係合片対向壁部２２ｄの当接部２２ｆからの長さが短い短垂設部位２２ｎとが見込み方向に隣り合って排水部４ｂが形成されているので、載置部２１ａ上に浸入した水を排水部４ｂから屋外に排出することが可能である。
【００４０】
また、押縁２２の凹部２２ａは、当接部２２ｆより室内側に、当該当接部２２ｆよりも深く上方に窪み、係合片２１ｃの上面２１ｆと当接しない非当接部２２ｈを有しているので、排水部４ｂをなす短垂設部位２２ｎの係合片対向壁部２２ｄ及び当接部２２ｆを伝った水は非当接部２２ｈ側にて上方に窪む段差溝２２ｇに貯留されて、凹部２２ａより屋内側には浸入しにくい、このため、より止水性に優れたカーテンウォール１を提供することが可能である。
【００４１】
また、段差溝２２ｇに貯留された水は、垂設片２２ｃを伝って載置部２１ａ上に落ちる。このとき段差溝２２ｇの下方には、下横材溝２１ｅが設けられているので、段差溝２２ｇに至った水を、下横材溝２１ｅを通して排水部４ｂから屋外に排出することが可能である。
【００４２】
また、押縁２２は、重心が係合片２１ｃより屋外側に位置しているので、係合片２１ｃが凹部２２ａに収容されて当接部２２ｆが係合片２１ｃの上面２１ｆに当接されると、自重により係合片対向壁部２２ｄの当接突起２２ｍが係合片２１ｃの屋外側に当接されて安定する。このため、押縁２２の凹部２２ａを係合片２１ｃ上に載置するだけで、押縁２２を取り付け状態の姿勢で配置することが可能である。このため、施工性に優れたカーテンウォール１を提供することが可能である。
【００４３】
また、係合片２１ｃの上面２１ｆが当接部２２ｆに当接されると、垂設片２２ｃの押縁突部２２ｉと係合片２１ｃとが係合するので、押縁２２の当接部２２ｆを係合片２１ｃ上に載置するだけで、押縁２２をより安定させて配置することが可能である。このため、より施工性に優れたカーテンウォール１を提供することが可能である。
【００４４】
また、押縁２２は、当接部２２ｆの上方に延出された上方延出片２２ｅと腰部面材２ａとの間がシーリング材８によりシールされているので、シーリング材８及びバックアップ材７により押縁２２が規制されるとともに、確実に腰部面材２ａの下端を保持することが可能である。
【００４５】
上記実施形態においては、横材を腰部下横材を例に挙げて説明したが、これに限らず、横材は、開口部面材の下側に設けられる横材であっても構わない。
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４６】
１  カーテンウォール、２ａ  腰部面材、４  無目、４ｂ  排水部、８  シーリング材、
９  カバー材、２１  腰部下横材、２１ａ  載置部、２１ｃ  係合片、２１ｆ  上面、
２１ｊ  非係合部位、２２  押縁、２２ａ  凹部、２２ｃ  垂設片、
２２ｄ  係合片対向壁部、２２ｅ  上方延出片、２２ｆ  当接部、２２ｈ  非当接部、
２２ｋ  カバー材上係止部、２２ｌ  係合溝部、２２ｎ  短垂設部位、
２２ｏ  カバー材下係止部、２３  面材収容部、
【図１】
2018087474.tif 000003
【図２】
2018087474.tif 000004
【図３】
2018087474.tif 000005
【図４】
2018087474.tif 000006
【図５】
2018087474.tif 000007
【図６】
2018087474.tif 000008
【図７】
2018087474.tif 000009